【手続補正書】
【提出日】令和3年6月9日(2021.6.9)
【手続補正１】
【補正対象書類名】特許請求の範囲
【補正対象項目名】全文
【補正方法】変更
【補正の内容】
【特許請求の範囲】
【請求項１】
被検体を観察又は処置するために用いられ、周辺医療機器と通信可能な医療機器と、
前記医療機器を制御するための制御コマンドを生成する制御端末装置と、
前記制御端末装置と前記医療機器とを通信可能に接続すると共に、ネットワークを経由して複数のネットワーク装置と通信可能に接続可能なアダプタと、
前記医療機器と前記周辺医療機器との接続状態、及び、前記ネットワークを経由しての前記アダプタと前記ネットワーク装置との接続状態、を監視する第２の監視装置と、
を備えることを特徴とする内視鏡システム。
【請求項２】
前記第２の監視装置は、前記内視鏡システムが起動した時、又は、前記接続状態に変化が生じた時に、前記接続状態が所定の接続条件を満たすか否かを判定し、前記所定の接続条件を満たさないという判定結果である場合は、当該判定結果に関わる判定結果情報を外部サーバに送信する、
ことを特徴とする請求項１に記載の内視鏡システム。
【請求項３】
前記第２の監視装置は、前記アダプタに備えられる、
ことを特徴とする請求項１に記載の内視鏡システム。
【請求項４】
前記第２の監視装置は、前記制御端末装置に備えられる、
ことを特徴とする請求項１に記載の内視鏡システム。
【請求項５】
前記制御端末装置と前記アダプタは、無線に依り通信可能に接続される、
ことを特徴とする請求項１に記載の内視鏡システム。
【請求項６】
前記制御端末は、前記医療機器を制御するための制御コマンドを生成する第１のアプリケーションがインストールされ、かつ新たに第２のアプリケーションをインストール可能である、
ことを特徴とする請求項１に記載の内視鏡システム。
【請求項７】
前記第１の監視装置は、前記内視鏡システムが起動した時、又は、前記制御端末装置に前記第２のアプリケーションがインストールされた時に、前記制御端末装置における前記第１のアプリケーションの動作が所定の動作条件を満たすか否かを判定し、前記所定の動作条件を満たさないという判定結果である場合は、当該判定結果に関わる判定結果情報を外部サーバに送信する、
ことを特徴とする請求項６に記載の内視鏡システム。
【請求項８】
前記第１の監視装置は、さらに前記第２のアプリケーションのインストール履歴を示す履歴情報を前記外部サーバに送信する、
ことを特徴とする請求項６に記載の内視鏡システム。
【請求項９】
前記第１の監視装置は、前記制御端末装置に備えられる、
ことを特徴とする請求項６に記載の内視鏡システム。
【請求項１０】
前記制御端末装置は、第２のアプリケーションとして、前記医療機器を制御するための制御コマンドを生成しないアプリケーションをインストール可能である、
ことを特徴とする請求項６に記載の内視鏡システム。
【手続補正２】
【補正対象書類名】明細書
【補正対象項目名】発明の名称
【補正方法】変更
【補正の内容】
【発明の名称】内視鏡システム
【手続補正３】
【補正対象書類名】明細書
【補正対象項目名】０００１
【補正方法】変更
【補正の内容】
【０００１】
本発明は、医療分野で使用される内視鏡システムに関する。
【手続補正４】
【補正対象書類名】明細書
【補正対象項目名】０００６
【補正方法】変更
【補正の内容】
【０００６】
本発明は、上記実状に鑑み、新たにインストールされたアプリケーションが、既にインストールされている医療用のアプリケーションの動作に与える影響を監視することができる内視鏡システムを提供することを目的とする。
【手続補正５】
【補正対象書類名】明細書
【補正対象項目名】０００７
【補正方法】変更
【補正の内容】
【０００７】
本発明の第１の態様は、内視鏡システムであって、被検体を観察又は処置するために用いられ、周辺医療機器と通信可能な医療機器と、前記医療機器を制御するための制御コマンドを生成する制御端末装置と、前記制御端末装置と前記医療機器とを通信可能に接続すると共に、ネットワークを経由して複数のネットワーク装置と通信可能に接続可能なアダプタと、前記医療機器と前記周辺医療機器との接続状態、及び、前記ネットワークを経由しての前記アダプタと前記ネットワーク装置との接続状態、を監視する第２の監視装置と、を備えることを特徴とする。
本発明の第２の態様は、第１の態様において、前記第２の監視装置は、前記内視鏡システムが起動した時、又は、前記接続状態に変化が生じた時に、前記接続状態が所定の接続条件を満たすか否かを判定し、前記所定の接続条件を満たさないという判定結果である場合は、当該判定結果に関わる判定結果情報を外部サーバに送信する、ことを特徴とする。
本発明の第３の態様は、第１の態様において、前記第２の監視装置は、前記アダプタに備えられる、ことを特徴とする。
本発明の第４の態様は、第１の態様において、前記第２の監視装置は、前記制御端末装置に備えられる、ことを特徴とする。
本発明の第５の態様は、第１の態様において、前記制御端末装置と前記アダプタは、無線に依り通信可能に接続される、ことを特徴とする。
本発明の第６の態様は、第１の態様において、前記制御端末は、前記医療機器を制御するための制御コマンドを生成する第１のアプリケーションがインストールされ、かつ新たに第２のアプリケーションをインストール可能である、ことを特徴とする。
【手続補正６】
【補正対象書類名】明細書
【補正対象項目名】０００８
【補正方法】変更
【補正の内容】
【０００８】
本発明の第７の態様は、第６の態様において、前記第１の監視装置は、前記内視鏡システムが起動した時、又は、前記制御端末装置に前記第２のアプリケーションがインストールされた時に、前記制御端末装置における前記第１のアプリケーションの動作が所定の動作条件を満たすか否かを判定し、前記所定の動作条件を満たさないという判定結果である場合は、当該判定結果に関わる判定結果情報を外部サーバに送信する、ことを特徴とする。
【手続補正７】
【補正対象書類名】明細書
【補正対象項目名】０００９
【補正方法】変更
【補正の内容】
【０００９】
本発明の第８の態様は、第６の態様において、前記第１の監視装置は、さらに前記第２のアプリケーションのインストール履歴を示す履歴情報を前記外部サーバに送信する、ことを特徴とする。
【手続補正８】
【補正対象書類名】明細書
【補正対象項目名】００１０
【補正方法】変更
【補正の内容】
【００１０】
本発明の第９の態様は、第６の態様において、前記第１の監視装置は、前記制御端末装置に備えられる、ことを特徴とする。
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】変更
【補正の内容】
【００１５】
本発明の第１０の態様は、第６の態様において、前記制御端末装置は、第２のアプリケーションとして、前記医療機器を制御するための制御コマンドを生成しないアプリケーションをインストール可能である、ことを特徴とする。